(57)【要約】      （修正有）【課題】照明装置及び防球ネットシステムを含む設備の低コスト化を図る。【解決手段】防球ネットシステム１Ａは、防球ネット２と、防球ネット２を支持する照明付き防球ネットポール２０とを備えている。そして、照明付き防球ネットポール２０は、地盤３内の杭４ｂに一端側が連結され、かつ防球ネット２が設置されたネット支柱２１と、ネット支柱２１の一端側とは反対側の他端側に一端側が連結され、かつ照明装置５が設置された照明支柱２２と、を備えている。【選択図】図１
2020099519.tif 000002
【特許請求の範囲】
【請求項１】
防球ネットと、前記防球ネットを支持する照明付き防球ネットポールとを備え、
前記照明付き防球ネットポールは、
地盤内の杭に一端側が連結され、かつ前記防球ネットが設置されたネット支柱と、
前記ネット支柱の一端側とは反対側の他端側に一端側が連結され、かつ照明装置が設置された照明支柱と、
を備えていることを特徴とする防球ネットシステム。
【請求項２】
前記照明装置は、前記照明支柱に設置された架台と、前記架台に設置された複数の照明器とを備えていることを特徴とする請求項１に記載の防球ネットシステム。
【請求項３】
前記照明付き防球ネットポールと互いに隣り合って配置された防球ネットポールを更に備え、
前記防球ネットポールは、前記地盤内の前記杭とは別の杭に一端側が連結され、かつ前記防球ネットが設置されたネット支柱を備えていることを特徴とする請求項１又は２に記載の防球ネットシステム。
【請求項４】
前記防球ネットポール及び前記照明付き防球ネットポールの各々は、前記防球ネットを吊るネット吊り機構を更に備え、
前記ネット吊り機構は、前記防球ネットポール及び前記照明付き防球ネットポールの各々において、
前記ネット支柱に前記ネット支柱の一端側から他端側に亘って設けられた複数のブラケットと、
前記複数のブラケットに支持され、かつ前記防球ネットが上端側から下端側に亘って連結されたガイド部材と、
を備えていることを特徴とする請求項３に記載の防球ネットシステム。
【請求項５】
前記照明支柱は、前記複数のブラケットのうちの最上に位置するブラケットよりも上方に位置していることを特徴とする請求項４に記載の防球ネットシステム。
【請求項６】
前記防球ネットポール及び前記照明付き防球ネットポールの各々は、前記防球ネットを吊るネット吊り機構を更に備え、
前記ネット吊り機構は、前記防球ネットポール及び前記照明付き防球ネットポールの各々において、
前記ネット支柱の一端側に設置された下部ブラケットと、
前記下部ブラケットに設置されたウインチと、
前記ネット支柱の他端側に設置された上部ブラケットと、
前記上部ブラケットに設置された滑車と、
一端側が前記下部ブラケットに支持され、他端側が前記上部ブラケットに支持されたガイド部材と、
前記ガイド部材に沿って昇降自在に移動し、かつ前記防球ネットが前記防球ネットの一端側から他端側に亘って連結された複数のネット連結部材と、
一端側が前記防球ネットの一端側に連結され、かつ他端側が前記滑車を介して前記ウインチに連結された昇降ワイヤと、
を備えていることを特徴とする請求項３に記載の防球ネットシステム。
【請求項７】
前記照明支柱は、前記上部ブラケットよりも上方に位置していることを特徴とする請求項６に記載の防球ネットシステム。
【請求項８】
前記照明付き防球ネットポールの前記ネット支柱及び前記照明支柱の各々は、内部が貫通及び連通する管状で形成され、
前記ネット支柱の一端側には、前記ネット支柱の外周面から内周面に亘って貫通する第１マンホール部が設けられ、
前記照明支柱には、前記照明支柱の外周面から内周面に亘って貫通する第２マンホール部が設けられ、
前記ネット支柱及び前記照明支柱の内部には、前記第１マンホール部から前記第２マンホール部に亘って複数の内設タラップが配置されていることを特徴とする請求項１から７の何れか一項に記載の防球ネットシステム。
【請求項９】
前記ネット支柱の内部には、踊り場が設けられていることを特徴とする請求項８記載の防球ネットシステム。
【請求項１０】
前記ネット支柱の内部には、前記ネット支柱及び前記照明支柱の各々の内部に配線された給電ケーブルを介して前記照明装置と電気的に接続された分電盤が配置されていることを特徴とする請求項８に記載の防球ネットシステム。
【請求項１１】
前記ネット支柱は、複数の分割支柱をフランジ部で連結した連結構造になっていることを特徴とする請求項８に記載の防球ネットシステム。
【請求項１２】
地盤内の杭に一端側が連結され、かつ防球ネットが設置されたネット支柱と、
前記ネット支柱の一端側とは反対側の他端側に一端側が連結され、かつ照明装置が設置された照明支柱と、
を備えていることを特徴とする照明付き防球ネットポール。
【請求項１３】
前記照明装置は、前記照明支柱に設置された架台と、前記架台に設置された複数の照明器とを備えていることを特徴とする請求項１２に記載の照明付き防球ネットポール。
【発明の詳細な説明】
【技術分野】
【０００１】
本発明は、防球ネットシステム及び照明付き防球ネットポールに関する。
【背景技術】
【０００２】
サッカー、野球、ゴルフなどの球技を行う球技場には、防球ネットシステムが構築されている。この種の防球ネットシステムは、特許文献１に開示されているように、防球ネットと、この防球ネットを支持する防球ネットポールとを備えている。
【先行技術文献】
【特許文献】
【０００３】
【特許文献１】特開２０１６−１４６９５９号
【発明の概要】
【発明が解決しようとする課題】
【０００４】
ところで、上述の球技場では、夜間の利用を可能とするために、架台に複数の照明器が設けられた大規模の照明装置を設置することが多い。そして、この大規模の照明装置は、防球ネットポールとは別に照明ポールを設置し、この照明ポールに照明装置を設置している。
しかしながら、このような照明装置の設置では、照明装置自体の費用とは別に照明ポールの設置費用（材料費及び施工費）が掛かり、照明装置の設置費用の増加を意味するため、照明装置及び防球ネットシステムを含む設備の低コスト化の観点から改良の余地があった。
【０００５】
本発明の目的は、照明装置及び防球ネットシステムを含む設備の低コスト化を図ることが可能な技術を提供することにある。
【課題を解決するための手段】
【０００６】
本発明の一態様に係る防球ネットシステムは、防球ネットと、防球ネットを支持する照明付き防球ネットポールとを備えている。そして、照明付き防球ネットポールは、地盤内の杭に一端側が連結され、かつ防球ネットが設置されたネット支柱と、ネット支柱の一端側とは反対側の他端側に一端側が連結され、かつ照明装置が設置された照明支柱と、を備えている。
また、本発明の一態様に係る照明付き防球ネットポールは、地盤内の杭に一端側が連結され、かつ防球ネットが設置されたネット支柱と、ネット支柱の一端側とは反対側の他端側に一端側が連結され、かつ照明装置が設置された照明支柱と、を備えている。
【発明の効果】
【０００７】
本発明の一態様によれば、照明装置及び防球ネットシステムを含む設備の低コスト化を図ることが可能となる。
【図面の簡単な説明】
【０００８】
【図１】本発明の実施形態１に係る防球ネットシステムの概略構成を示す図である。
【図２】図１の防球ネットシステムを構成する防球ネットポールの概略構成を示す図である。
【図３】図２の防球ネットポールの長手方向に沿った断面構造を示す要部断面図である。
【図４】図３の各切断線の位置で切った断面構造を示す図（（ａ）はII−II切断線の位置で切った断面図，（ｂ）はIII−III切断線の位置できった断面図，（ｃ）はIV−IV切断線の位置できった断面図）である。
【図５】図１の防球ネットシステムを構成する照明付き防球ネットポールの概略構成を示す図である。
【図６】図５の照明付き防球ネットポールの長手方向に沿った断面構造を示す要部断面図である。
【図７】図３の各切断線の位置で切った断面構造を示す図（（ａ）はＶ−Ｖ切断線の位置で切った断面図，（ｂ）はVI−VI切断線の位置で切った断面図，（ｃ）はVII−VII切断線の位置で切った断面図，（ｄ）はVIII−VIII切断線の位置で切った断面図）ある。
【図８】本発明の実施形態２に係る防球ネットシステムの概略構成を示す図である。
【図９】図８の防球ネットシステムを構成する防球ネットポールの概略構成を示す図である。
【図１０】図８の防球ネットシステムを構成する照明付き防球ネットポールの概略構成を示す図である。
【図１１】滑車の配置状態を示す斜視図である。
【図１２】本発明の実施形態３に係る防球ネットシステムの概略構成を示す図である。
【図１３】図１２の防球ネットシステムを構成する防球ネットポールの概略構成を示す図である。
【図１４】図１２の防球ネットシステムを構成する照明付き防球ネットポールの概略構成を示す図である。
【図１５】滑車の配置状態を示す斜視図である。
【発明を実施するための形態】
【０００９】
以下、図面を参照して本発明の実施形態を詳細に説明する。
なお、発明の実施例を説明するための全図において、同一機能を有するものは同一符号を付け、その繰り返しの説明は省略する。
また、各図面は模式的なものであって、現実のものとは異なる場合がある。また、以下の実施形態は、本発明の技術的思想を具体化するための装置や方法を例示するものであり、構成を下記のものに特定するものではない。すなわち、本発明の技術的思想は、特許請求の範囲に記載された技術的範囲内において、種々の変更を加えることができる。
また、以下の実施形態では、空間内で互に直交する三方向において、同一平面内で互に直交する第１の方向及び第２の方向をそれぞれＸ方向、Ｙ方向とし、第１の方向及び第２の方向のそれぞれと直交する第３の方向をＺ方向とする。
【００１０】
〔実施形態１〕
この実施形態１では、固定式の防球ネット吊り機構を備えた防球ネットシステムに本発明を適用した例について説明する。
≪防球ネットシステム≫
まず、防球ネットシステム１Ａの全体構成について説明する。
図１に示すように、本発明の実施形態１に係る防球ネットシステム１Ａは、防球ネット２と、この防球ネット２を支持する防球ネットポール１０及び照明付き防球ネットポール２０とを備えている。防球ネット２は、Ｘ方向及びＺ方向に展張されている。
【００１１】
防球ネットシステム１Ａは、サッカー、野球、ゴルフなどの球技を行う球技場において、敷地の周囲やコースの内外に防球ネットポール１０及び照明付き防球ネットポール２０を複数本設置し、この複数本の防球ネットポール１０及び照明付き防球ネットポール２０の各々に防球ネット２を張り渡してボールが場外に飛散するのを防止している。防球ネットポール１０と照明付き防球ネットポール２０との相対的な数は、照明規模にもよるが、一般に照明付き防球ネットポール２０の方が少ない。
図１及び図２に示すように、防球ネットポール１０は、地盤３内に設置された杭４ａに一端側が連結され、かつ防球ネット２が設置されたネット支柱１１を備えている。また、防球ネットポール１０は、防球ネット２を吊る固定式のネット吊り機構３０Ａを備えている。
【００１２】
一方、照明付き防球ネットポール２０は、図１及び図５に示すように、地盤３内に杭４ａと隣り合って設置された杭４ｂに一端側が連結され、かつ防球ネット２が設置されたネット支柱２１と、このネット支柱２１の一端側とは反対側の他端側に一端側が連結され、かつ照明装置５が設置された照明支柱２２とを備えている。また、この照明付き防球ネットポール２０も、防球ネットポール１０と同様に、防球ネット２を吊る固定式のネット吊り機構３０Ｂを備えている。
杭４ａ及び４ｂは、各々の長手方向（Ｚ方向）が鉛直方向に沿うようにして地盤３内に埋設されている。杭４ａ及び４ｂとしては、これに限定されないが、例えば鋼管杭を用いている。この他にコンクリート杭も用いることが可能である。
防球ネットポール１０のネット支柱１１及び照明付き防球ネットポール２０のネット支柱２１は、長手方向（Ｚ方向）の一端側が杭４ａ，４ｂの一端側と対向し、かつ長手方向が鉛直方向に沿うようにして杭４ａ，４ｂ上に立設されている。
【００１３】
ここで、防球ネットポール１０や照明付き防球ネットポール２０は、地上に立設するネット支柱１１，２１の高さが数十ｍに達するため、輸送や保管が容易な長さ例えば５ｍ〜１０ｍ程度の分割支柱を現地において順次連結してネット支柱１１，２１を構築している。例えば、図２及び図３に示すように、ネット支柱１１は、杭４ａと連結される根元側から３つの分割支柱１１ａ，１１ｂ，１１ｃがこの順で連結されている。また、図５及び図６に示すように、ネット支柱２１も、杭４ｂと連結される根元側から３つの分割支柱２１ａ，２１ｂ，２１ｃがこの順で連結されている。そして、照明付き防球ネットポール２０においては、下から三段目の最上段に位置する分割支柱２１ｃの長手方向（Ｚ方向）の一端側とは反対側の他端側に、照明支柱２２の長手方向（Ｚ方向）の一端が連結されている。
【００１４】
≪防球ネットポール≫
次に、防球ネットポール１０の具体的な構成について、図２、図３及び図４（ａ），（ｂ），（ｃ）を用いて説明する。なお、図３においては、図面を見易くするため、図示を簡略化している。
図３及び図４（ａ），（ｂ），（ｃ）に示すように、防球ネットポール１０のネット支柱１１を構成する３つの分割支柱１１ａ，１１ｂ，１１ｃの各々は、例えば、各々の長手方向に沿って貫通し、かつ各々の長手方向と直交する断面において、外周面１１ｘ及び内周面１１ｙが円形状の鋼管で形成されている。３つの分割支柱１１ａ，１１ｂ，１１ｃの各々は、この順（図４中、（ａ）→（ｂ）→（ｃ））で外径及び内径が小さくなっている。すなちわ、ネット支柱１１は、外径及び内径が異なる３つの異形鋼管（１１ａ，１１ｂ，１１ｃ）を一端側から他端側に向かって外径及び内径が順に小さくなるように連結している。
【００１５】
ここで、ネット支柱１１の外周面及び内周面は、３つの分割支柱１１ａ，１１ｂ，１１ｃの各々の外周面１１ｘ及び内周面１１ｙに対応する。したがって、ネット支柱１１の外周面及び内周面を３つの分割支柱１１ａ，１１ｂ，１１ｃの各々の外周面１１ｘ及び内周面１１ｙに置き換えて外周面１１ｘ及び内周面１１ｙと呼ぶこともある。
３つの分割支柱１１ａ，１１ｂ，１１ｃにおいて、図３に示すように、下から一段目の分割支柱１１ａは、分割支柱１１ａの長手方向（Ｚ方向）の一端側とは反対側の他端側にリング状のフランジ部１１ａ２が設置されている。また、下から二段目の分割支柱１１ｂは、分割支柱１１ｂの長手方向（Ｚ方向）において互いに反対側に位置する一端側及び他端側にリング状のフランジ部１１ｂ１，１１ｂ２が設置されている。また、下から三段目の分割支柱１１ｃは、分割支柱１１ｃの長手方向（Ｚ方向）の一端側にリング状のフランジ部１１ｃ１が設置され、一端側とは反対側の他端側に内部を閉塞するようにして蓋体１１ｄが設置されている。
【００１６】
一段目の分割支柱１１ａと二段目の分割支柱１１ｂとは、分割支柱１１ａの他端側のフランジ部１１ａ２と分割支柱１１ｂの一端側のフランジ部１１ｂ１とをボルト締めで固定することによって連結されている。二段目の分割支柱１１ｂと三段目の分割支柱１１ｃとは、分割支柱１１ｂの他端側のフランジ部１１ｂ２と分割支柱１１ｃの一端側のフランジ部１１ｃ１とをボルト締めで固定することによって連結されている。一段目の分割支柱１１ａの一端側は、例えば杭４ａの一端側にボルト締め固定や溶接接合、或いは差し込みによるコンクリート接合などによって連結されている。すなわち、ネット支柱１１は、ネット支柱１１の長手方向において、一端側から他端側に亘って貫通している。
図２に示すように、ネット支柱１１の外周面１１ｘには、ネット支柱１１の一端側から他端側に亘って複数の外設タラップ１３が所定の間隔をおいて設置されている。
【００１７】
≪照明付き防球ネットポール≫
次に、照明付き防球ネットポール２０の具体的な構成について、図５、図６及び図７（ａ），（ｂ），（ｃ），（ｄ）を用いて説明する。なお、図６においては、図面を見易くするため、図示を簡略化している。
＜ネット支柱及び照明支柱＞
図６及び図７（ａ），（ｂ），（ｃ）に示すように、照明付き防球ネットポール２０のネット支柱２１を構成する３つの分割支柱２１ａ，２１ｂ，２１ｃの各々は、例えば、各々の長手方向（Ｚ方向）に沿って貫通し、かつ各々の長手方向（Ｚ方向）と直交する断面において、外周面２１ｘ及び内周面２１ｙが円形状の鋼管で形成されている。３つの分割支柱２１ａ，２１ｂ，２１ｃの各々は、この順（図７中、（ａ）→（ｂ）→（ｃ））で外径及び内径が小さくなっている。すなちわ、ネット支柱２１は、外径及び内径が異なる３つの異形鋼管（２１ａ，２１ｂ，２１ｃ）を外径及び内径が一端側から他端側に向かって順に小さくなるように連結している。
【００１８】
また、照明支柱２２は、図６及び図７（ｄ）に示すように、例えば、照明支柱２２の長手方向（Ｚ方向）に沿って貫通し、かつ照明支柱２２の長手方向と直交する断面において、外周面２２ｘ及び内周面２２ｙが円形状の鋼管で形成されている。そして、照明支柱２２は、外径及び内径が例えば三段目の分割支柱１１ｃの外径及び内径と同一になっている。
ここで、ネット支柱２１の外周面及び内周面は、３つの分割支柱２１ａ，２１ｂ，２１ｃの各々の外周面２１ｘ及び内周面２１ｙに対応する。したがって、ネット支柱２１の外周面及び内周面を３つの分割支柱２１ａ，２１ｂ，２１ｃの各々の外周面１１ｘ及び内周面１１ｙに置き換えて外周面２１ｘ及び内周面２１ｙと呼ぶこともある。
【００１９】
３つの分割支柱２１ａ，２１ｂ，２１ｃにおいて、図６に示すように、下から一段目の分割支柱２１ａは、分割支柱２１ａの長手方向（Ｚ方向）の一端側とは反対側の他端側にリング状のフランジ部２１ａ２が設置されている。また、下から二段目の分割支柱２１ｂは、分割支柱２１ｂの長手方向（Ｚ方向）において互いに反対側に位置する一端側及び他端側の各々にリング状のフランジ部２１ｂ１，２１ｂ２が設置されている。また、下から三段目の分割支柱２１ｃは、分割支柱２１ｃの長手方向（Ｚ方向）において互いに反対側に位置する一端側及び他端側の各々にリング状のフランジ部２１ｃ１，２１ｃ２が設置されている。
照明支柱２２は、照明支柱２２の長手方向の一端側にリング状のフランジ部２２ａ１が設置され、一端側とは反対側に内部を閉塞するようにして蓋体（図示せず）が設置されている。
【００２０】
一段目の分割支柱２１ａと二段目の分割支柱２１ｂとは、分割支柱２１ａの他端側のフランジ部２１ａ２と分割支柱２１ｂの一端側のフランジ部２１ｂ１とをボルト締めで固定することによって連結されている。二段目の分割支柱２１ｂと三段目の分割支柱２１ｃとは、分割支柱２１ｂの他端側のフランジ部２１ｂ２と分割支柱２１ｃの一端側のフランジ部２１ｃ１とをボルト締めで固定することによって連結されている。三段目の分割支柱２１ｃと照明支柱２２とは、分割支柱２１ｃの他端側のフランジ部２１ｃ２と照明支柱２２の一端側のフランジ部２２ａ１とをボルト締めで固定することによって連結されている。一段目の分割支柱２１ａの一端側は、例えば杭４ｂの一端側にボルト締め固定や溶接接合、或いは差し込みによるコンクリート接合などによって連結されている。すなわち、ネット支柱２１及び照明支柱２２は、各々の長手方向において、ネット支柱２１の一端側から照明支柱２２の他端側に亘って貫通及び連通している。
【００２１】
照明付き防球ネットポール２０及び防球ネットポール１０において、ネット支柱２１の一段目の分割支柱２１ａの外径は、ネット支柱１１の一段目の分割支柱１２ａの外径よりも大きくなっている。また、ネット支柱２１の二段目の分割支柱２１ｂの外径は、ネット支柱１１の二段目の分割支柱１１ｂの外径よりも大きくなっている。また、ネット支柱２１の三段目の分割支柱２１ｃの外径は、ネット支柱１１の三段目の分割支柱１１ｃの外径よりも大きくなっている。すなわち、照明付き防球ネットポール２０のネット支柱２１は、外径が防球ネットポール１０のネット支柱１１の外径よりも全体的に大きくなっている。これは、照明付き防球ネットポール２０は、ネット支柱２１の他端側に一端側が連結された照明支柱２２及びこの照明支柱２２に設置された照明装置５を備えているので、照明支柱２２及び照明装置５の重量を加味した曲げモーメント力に耐え得る剛性を確保するためである。
図５に示すように、ネット支柱２１及び照明支柱２２の各々の外周面２１ｘ，２２ｘには、ネット支柱２１の一端側から照明支柱２２の他端側に亘って複数の外設タラップ２３が所定の間隔を置いて設置されている。
【００２２】
＜照明装置＞
図１及び図５に示すように、照明装置５は、照明支柱２２に設置された架台６と、この架台６に設置された複数の照明器７とを備えている。複数の照明器７は、例えばＸ方向及びＺ方向において行列状に配置されている。照明装置５は、防球ネット２よりも上方に設置されている。また、照明装置５は、詳細に図示していないが、Ｙ方向において、照明付き防球ネットポール２０の競技場側に設置されている。この照明装置５は、従来、防球ネットポールとは別の照明ポールに設置されていた大規模な照明装置と同等の照明能力を有する。
【００２３】
＜マンホール＞
図５、図６及び図７（ａ）に示すように、ネット支柱２１の一端側（分割支柱２１ａの一端側）には、外周面２１ｘ及び内周面２１ｙに亘って貫通する第１マンホール部２４ａを有する筒体２４が設けられている。そして、この筒体２４には、第１マンホール部２４ａを閉塞する蓋体２４ｂが開閉自在に設置されている。また、図５、図６及び図７（ｄ）に示すように、照明支柱２２には、外周面２２ｘ及び内周面２２ｙに亘って貫通する第２マンホール部２５ａを有する筒体２５が設けられている。そして、この筒体２５には、第２マンホール部２５ａを閉塞する蓋体２５ｂが開閉自在に設置されている。筒体２５の第２マンホール２５ａは、照明装置５の架台６と重畳する位置、換言すれば架台６と対向する位置に配置されている。
【００２４】
＜内設タラップ，給電ケーブル，分電盤，内設照明＞
図５及び図７（ａ）〜（ｄ）に示すように、ネット支柱２１及び照明支柱２２の各々の内周面２１ｙ，２２ｙには、第１マンホール部２４ａから第２マンホール部２５ａに亘って複数の内設タラップ２６が所定の間隔を置いて設置されている。
また、図７（ａ）及び（ｄ）に示すように、ネット支柱２１及び照明支柱２２の各々の内部には、網状の踊り場２７が設置されている。この踊り場２７は、少なくとも第１及び第２マンホール部２４ａ，２５ａの各々の近傍に設置されているが、その他に第１マンホール部２４ａと第２マンホール部２５ａとの間において複数箇所設置されている。
【００２５】
また、図７（ａ）〜（ｄ）に示すように、ネット支柱２１の内部であって第１マンホール部２４ａの近傍には、ネット支柱２１及び照明支柱２２の各々の内部に亘って配線された給電ケーブル２８ａを介して照明装置５と電気的に接続された分電盤２８ｂ（図７（ａ）参照）が設置されている。
また、ネット支柱２１及び照明支柱２２の各々の内周面２１ｙ，２２ｙには、少なくとも第１マンホール部２４ａから第２マンホール部２５ａに亘って複数の内設照明器２８ｃが所定の間隔を置いて設置されている。
【００２６】
≪ネット吊り機構≫
図２に示すように、防球ネットポール１０のネット吊り機構３０Ａは、ネット支柱１１の外周面１１ｘから防球ネット２側に向かって突出し、かつネット支柱１１の一端側から他端側に亘って所定の間隔をおいてネット支柱１１の外周面１１ｘに設置された複数のブラケット３１ａを備えている。また、ネット吊り機構３０Ａは、複数のブラケット３１ａの各々に支持され、かつ防球ネット２がネット支柱１１の長手方向（Ｚ方向）において一端側から他端側に亘って連結されたガイド部材としての縦ガイドワイヤ３５ａを備えている。この縦ガイドワイヤ３５ａは、一端側が他端側よりもネット支柱１１側に位置するようにネット支柱１１の長手方向（Ｚ方向）に対して若干傾斜した状態で延伸している。
【００２７】
一方、図５に示すように、照明付き防球ネットポール２０のネット吊り機構３０Ｂもネット吊り機構３０Ａと同様に、ネット支柱２１の外周面２１ｘから防球ネット２側に向かって突出し、かつネット支柱２１の一端側から他端側に亘って所定の間隔をおいてネット支柱２１の外周面２１ｘに設置された複数のブラケット３１ｂを備えている。また、ネット吊り機構３０Ｂも、複数のブラケット３１ｂの各々に支持され、かつ防球ネット２がネット支柱２１の長手方向（Ｚ方向）において一端側から他端側に亘って連結されたガイド部材としての縦ガイドワイヤ３５ｂを備えている。この縦ガイドワイヤ３５ｂはネット支柱２１の長手方向（Ｚ方向）に対して若干傾斜した状態で延伸している。
【００２８】
そして、図１に示すように、ネット吊り機構３０Ａのブラケット３１ａ及びネット吊り機構３０Ｂのブラケット３１ａには、Ｘ方向に延伸するガイド部材としての横ガイドワイヤ３６がブラケット３１ａ及び３１ｂ毎に取り付けられている。そして、これらの横ガイドワイヤ３６にも防球ネット２が連結され、この横ガイドワイヤ３６及び縦ガイドワイヤ３５ａ，３５ｂに防球ネット２が展張状態で連結されている。
なお、照明装置５は、複数のブラケット３１ｂのうちの最上に位置するブラケット３１ｂよりも上方に位置し、防球ネット２との重なりを抑制している。
【００２９】
≪実施形態１の効果≫
次に、この実施形態１の主要な効果について説明する。
この実施形態１の防球ネットシステム１Ａは、上述したように、防球ネット２と、この防球ネット２を支持する照明付き防球ネットポール２０とを備えている。そして、照明付き防球ネットポール２０は、地盤３内の杭４ａに一端側が連結され、かつ防球ネット２が設置されたネット支柱２１と、このネット支柱２１の他端側に一端側が連結され、かつ照明装置５が設置された照明支柱２２とを備えている。すなわち、照明付き防球ネットポール２０は、防球ネットポールに照明装置５を併設している。したがって、この照明付き防球ネットポール２０によれば、従来において大規模の照明装置５を設置するために防球ネットポールとは別に地盤３（地表）に設置していた照明ポールを省くことができ、従来と比較して照明装置５の設置に必要な設置費用を削減できる。これにより、照明装置５及び防球ネットシステム１Ａを含む設備の低コスト化を図ることが可能である。
【００３０】
また、この実施形態１の照明装置５は、照明支柱２２に設置された架台６と、この架台６に設置された複数の照明器７とを備えているので、大規模の照明装置５を容易に構築することが可能である。
また、この実施形態１の照明付き防球ネットポール２０は、防球ネット２を吊るネット吊り機構３０Ｂを備えている。そして、照明支柱２２は、ネット吊り機構３０Ｂの最上に位置するブラケット３１ｂよりも上方に位置している。このため、防球ネット２よりも高い位置に照明装置５を設置することができ、照明装置５の照明が防球ネット２によって妨げられるのを抑制することが可能である。
【００３１】
また、この実施形態１の防球ネットシステム１Ａは、照明付き防球ネットポール２０と互いに隣り合って配置された防球ネットポール１０を備えている。そして、この防球ネットポール１０も照明付き防球ネットポール２０と同様に、防球ネット２を吊るネット吊り機構３０Ａを備えている。したがって、この実施形態１の防球ネットシステム１Ａによれば、防球ネット２をＸ方向及びＺ方向に展張させた状態で設置が可能であると共に、照明装置５及び防球ネットシステム１Ａを含む設備の低コスト化を図ることが可能である。
【００３２】
また、この実施形態１の照明付き防球ネットポール２０は、ネット支柱２１の長手方向の一端側に第１マンホール部２４ａ及び蓋体２４ｂを有する筒体２４が設けられ、照明支柱２２に第２マンホール部２５ａ及び蓋体２５ｂを有する筒体２５が設けられている。そして、ネット支柱２１及び照明支柱２２の各々の内周面２１ｙ，２２ｙに、第１マンホール部２４ａから第２マンホール部２５ａに亘って複数の内設タラップ２６が所定の間隔を置いて設置されている。ここで、照明装置５のメンテナンスを実施する作業者は、まず、筒体２４の蓋体２４ｂを開け、地表面から筒体２４の第１マンホール部２４ａを通ってネット支柱２１の内部に入る。そして、作業者は、内設タラップ２６を登って照明支柱２２の内部に入る。そして、作業者は、筒体２５の蓋体２５ｂを開け、筒体２５の第２マンホール部２５ａを通って照明支柱２２の外部に出て照明装置５の架台６に到達できる。したがって、この実施形態１の照明付き防球ネットポール２０によれば、照明装置５の維持管理や点検などのメンテナンス作業を容易に実施することが可能である。
【００３３】
また、この実施形態１の照明付き防球ネットポール２０は、ネット支柱２１及び照明支柱２２の内部に踊り場２７が設けられている。また、この実施形態１の照明付き防球ネットポール２０は、ネット支柱２１及び照明支柱２２の各々の内周面２１ｙ，２２ｙに、第１マンホール部２４ａから第２マンホール部２５ａに亘って複数の内設照明器２８ｃが所定の間隔を置いて設置されている。したがって、この実施形態１の照明付き防球ネットポール２０によれば、作業者が内設タラップ２６を昇降する際の安全性をより高めることが可能である。
【００３４】
また、この実施形態１の照明付き防球ネットポール２０は、ネット支柱２１の内部に、給電ケーブル２８ａを介して照明装置５と電気的に接続された分電盤２８ｂが設置されている。したがって、この実施形態１の照明付き防球ネットポール２０によれば、分電盤２８ｂからネット支柱２１及び照明支柱２２の各々の内部を通して照明装置５に給電することが可能である。また、分電盤２８ｂを直射日光、雨、雪などの自然環境から保護することも可能である。
また、この実施形態１の照明付き防球ネットポール２０は、ネット支柱２１が複数の分割支柱をリング状のフランジ部で連結した連結構造になっている。そして、ネット支柱２１と照明支柱２２とがリング状のフランジ部で連結されている。したがって、この実施形態１の照明付き防球ネットポール２０によれば、ネット支柱２１の長手方向の一端側から照明支柱２２に亘って貫通する通路を確保でき、ネット支柱２１の長手方向の一端側から照明支柱２２に亘って作業者の昇降移動が可能である。
【００３５】
〔実施形態２〕
≪防球ネットシステム≫
この実施形態２の防球ネットシステム１Ｂは、上述の実施形態１の防球ネットシステム１Ａとほぼ同様の構成になっており、以下の構成が異なっている。
すなわち、この実施形態２の防球ネットシステム１Ｂは、図８、図９及び図１０に示すように、防球ネットポール１０及び照明付き防球ネットポール２０が上述の実施形態１の固定式のネット吊り機構３０Ａ，３０Ｂに換えて防球ネット２を吊る昇降式のネット吊り機構４０Ａ，４０Ｂを備えている。その他の構成は実施形態１と同様である。
【００３６】
図８及び図９に示すように、ネット吊り機構４０Ａは、防球ネットポール１０に設置されている。このネット吊り機構４０Ａは、図８、図９及び図１１に示すように、ネット支柱１１の外周面１１ｘから防球ネット２側にネット支柱１１の長手方向（Ｚ方向）と直交する方向（Ｙ方向）に沿って突出し、かつネット支柱１１の長手方向の一端側に設置された下部ブラケット４１ａと、この下部ブラケット４１ａに設置されたウインチ４２ａと、を備えている。
また、ネット吊り機構４０Ａは、ネット支柱１１の外周面１１ｘから防球ネット２側にネット支柱１１の長手方向（Ｚ方向）と直交する方向（Ｙ方向）に沿って突出し、かつネット支柱１１の長手方向の他端側に設置された上部ブラケット４３ａを備えている。
【００３７】
また、ネット吊り機構４０Ａは、上部ブラケット４３ａの突出方向（Ｙ方向）及びネット支柱１１の長手方向（Ｚ方向）と直交する方向（Ｘ方向）に回転軸４４ａ１（図１１参照）が沿うようにして上部ブラケット４３ａに回動自在に設置された滑車４４ａを備えている。
また、ネット吊り機構４０Ａは、一端側が下部ブラケット４１ａに支持され、他端側が上部ブラケット４３ａに支持されたガイド部材としてのガイドワイヤ４５ａを備えている。
【００３８】
また、ネット吊り機構４０Ａは、ガイドワイヤ４５ａに案内されて昇降自在に移動し、かつ防球ネット２がネット支柱２１の長手方向において上端側から下端側に亘って連結された複数のネット連結部材としての複数のネット連結リング部材４６ａを備えている。
また、ネット吊り機構４０Ａは、一端側が防球ネット２の上端側に連結され、かつ他端側が滑車４４ａを介してウインチ４２ａに連結された昇降ワイヤ４７ａを備えている。
一方、図８及び図１０に示すように、ネット吊り機構４０Ｂは、照明付き防球ネットポール２０に設置されている。このネット吊り機構４０Ｂは、図８、図１０及び図１１に示すように、ネット吊り機構４０Ａと同様に、ネット支柱２１の外周面２１ｘから防球ネット２側にネット支柱２１の長手方向（Ｚ方向）と直交する方向（Ｙ方向）に沿って突出し、かつネット支柱２１の長手方向の一端側に設置された下部ブラケット４１ｂと、この下部ブラケット４１ｂに設置されたウインチ４２ｂと、を備えている。
【００３９】
また、ネット吊り機構４０Ｂは、ネット支柱２１の外周面２１ｘから防球ネット２側にネット支柱２１の長手方向（Ｚ方向）と直交する方向（Ｙ方向）に沿って突出し、かつネット支柱２１の長手方向の他端側に設置された上部ブラケット４３ｂを備えている。
また、ネット吊り機構４０Ｂは、上部ブラケット４３ｂの突出方向（Ｙ方向）及びネット支柱２１の長手方向（Ｚ方向）と直交する方向（Ｘ方向）に回転軸４４ｂ１（図１１参照）が沿うようにして上部ブラケット４３ｂに回動自在に設置された滑車４４ｂを備えている。
【００４０】
また、ネット吊り機構４０Ｂは、一端側が下部ブラケット４１ｂに支持され、他端側が上部ブラケット４３ｂに支持されたガイド部材としてのガイドワイヤ４５ｂを備えている。
また、ネット吊り機構４０Ｂは、ガイドワイヤ４５ｂに案内されて昇降自在に移動し、かつ防球ネット２がネット支柱２１の長手方向において上端側から下端側に亘って連結された複数のネット連結部材としての複数のネット連結リング部材４６ｂを備えている。
また、ネット吊り機構４０Ｂは、一端側が防球ネット２の上端側に連結され、かつ他端側が滑車４４ｂを介してウインチ４２ｂに連結された昇降ワイヤ４７ｂを備えている。
なお、この実施形態２において、照明支柱２２は、上部ブラケット４３ｂよりも上方に位置している。
【００４１】
≪実施形態２の効果≫
この実施形態２の防球ネットシステム１Ｂによれば、上述の実施形態１と同様の効果が得られる。
また、この実施形態２の防球ネットシステム１Ｂは、ウインチ４２ａ，４２ｂが昇降ワイヤ４７ａ，４７ｂを巻き取ると、防球ネット２の上端側が上昇し、また、ウインチ４２ａ，４２ｂが昇降ワイヤ４７ａ，４７ｂを巻き戻すと、防球ネット２の上端側が下降する。したがって、この実施形態２の防球ネットシステム１Ｂによれば、上述の実施形態１の防球ネットシステム１Ａとは異なり、防球ネット２の昇降を行うことが可能である。そして、ウインチ４２ａ，４２ｂを機械的に連結することや電動制御することにより、防球ネット２の昇降を自動で行うことも可能である。
【００４２】
〔実施形態３〕
≪防球ネットシステム≫
この実施形態３の防球ネットシステム１Ｃは、上述の実施形態１の防球ネットシステム１Ａとほぼ同様の構成になっており、以下の構成が異なっている。
すなわち、この実施形態３の防球ネットシステム１Ｃは、図１２及び図１３に示すように、防球ネットポール１０が上述の実施形態１の固定式のネット吊り機構３０Ａに換えて防球ネット２を吊る昇降式の第１ネット吊り機構５０Ａを備えている。また、この実施形態３の防球ネットシステム１Ｃは、図１２及び図１４に示すように、照明付き防球ネットポール２０が上述の実施形態１の固定式のネット吊り機構３０Ｂに換えて防球ネット２を吊る昇降式の第２ネット吊り機構５０Ｂを備えている。その他の構成は、上述の実施形態１と同様である。この実施形態３の防球ネットシステム１Ｃでは、２つの第１及び第２ネット吊り機構５０Ａ，５０Ｂを１つのウインチ５２で作動させる構成になっている。
【００４３】
図１２、図１３及び図１５に示すように、第１ネット吊り機構５０Ａは、ネット支柱１１の外周面１１ｘから防球ネット２側にネット支柱１１の長手方向（Ｚ方向）と直交する方向（Ｙ方向）に沿って突出し、かつネット支柱１１の長手方向の一端側に設置された下部ブラケット５１ａと、この下部ブラケット５１ａに設置されたウインチ５２と、を備えている。
また、第１ネット吊り機構５０Ａは、ネット支柱１１の外周面１１ｘから防球ネット２側にネット支柱１１の長手方向（Ｚ方向）と直交する方向（Ｙ方向）に沿って突出し、かつネット支柱１１の長手方向の他端側に設置された上部ブラケット５３ａを備えている。
【００４４】
また、第１ネット吊り機構５０Ａは、上部ブラケット５３ａの突出方向（Ｙ方向）及びネット支柱１１の長手方向（Ｚ方向）と直交する方向（Ｘ方向）に回転軸５４ａ１（図１５参照）が沿うようにして上部ブラケット５３ａに回動自在に設置された第１滑車５４ａと、上部ブラケット５３ａの突出方向（Ｙ方向）に回転軸５４ｂ１（図１５参照）が沿うようにしてネット支柱１１の他端側に回動自在に設置された第２滑車５４ｂと、を備えている。
また、第１ネット吊り機構５０Ａは、一端側が下部ブラケット５１ａに支持され、他端側が上部ブラケット５３ａに支持されたガイド部材としてのガイドワイヤ５５ａと、このガイドワイヤ５５ａに案内されて昇降自在に移動し、かつ防球ネット２がネット支柱１１の長手方向（Ｚ方向）において上端側から下端側に亘って連結された複数のネット連結部材としての複数のネット連結リング部材５６ａと、を備えている。
【００４５】
また、第１ネット吊り機構５０Ａは、一端側が防球ネット２の上端側に連結され、かつ他端側が第１滑車５４ａを介してウインチ５２に連結された第１昇降ワイヤ５７ａを備えている。
一方、第２ネット吊り機構５０Ｂは、ネット支柱２１の外周面２１ｘから防球ネット２側にネット支柱２１の長手方向（Ｚ方向）と直交する方向（Ｙ方向）に沿って突出し、かつネット支柱２１の一端側に設置された下部ブラケット５１ｂを備えている。
また、第２ネット吊り機構５０Ｂは、ネット支柱２１の外周面２１ｘから防球ネット２側（Ｙ方向）にネット支柱２１の長手方向（Ｚ方向）と直交する方向（Ｙ方向）に沿って突出し、かつネット支柱２１の他端側に設置された上部ブラケット５３ｂと、を備えている。
【００４６】
また、第２ネット吊り機構５０Ｂは、上部ブラケット５３ｂの突出方向（Ｙ方向）及びネット支柱２１の長手方向（Ｚ方向）と直交する方向（Ｘ方向）に回転軸５４ｃ１（図１５参照）が沿うようにして上部ブラケット５３ｂに回動自在に設置された第３滑車５４ｃと、上部ブラケット５３ｂの突出方向（Ｙ方向）に回転軸５４ｄ１（図１５参照）が沿うようにしてネット支柱２１の他端側に回動自在に設置された第４滑車５４ｄと、を備えている。
また、第２ネット吊り機構５０Ｂは、一端側が下部ブラケット５１ｂに支持され、他端側が上部ブラケット５３ｂに支持されたガイド部材としてのガイドワイヤ５５ｂと、ガイドワイヤ５５ｂに案内されて昇降自在に移動し、かつ防球ネット２がネット支柱２１の長手方向（Ｚ方向）において上端側から下端端側に亘って連結された複数のネット連結部材としての複数のネット連結リング部材５６ｂと、を備えている。
【００４７】
また、第２ネット吊り機構５０Ｂは、一端側が防球ネット２の一端側に連結され、かつ他端側が第３滑車５４ｃ、第４滑車５４ｄ及び第２滑車５４ｂを介して第１昇降ワイヤ５７ａに連結された第２昇降ワイヤ５７ｂと、を備えている。
この実施形態３において、照明支柱２２は、上部ブラケット５３ｂよりも上方に位置している。
なお、第２昇降ワイヤ５７ｂの他端側は直接ウインチ５２に連結してもよい。
【００４８】
≪実施形態３の効果≫
この実施形態３の防球ネットシステム１Ｃによれば、上述の実施形態１と同様の効果が得られる。
また、この実施形態３の防球ネットシステム１Ｃは、ウインチ５２が第１昇降ワイヤ５７ａを巻き取ると、第１昇降ワイヤ５７ａの移動と共に第２昇降ワイヤ５７ｂも移動し、防球ネット２の上端側で第１昇降ワイヤ５７ａの一端側と連結されたネット部分及び第２昇降ワイヤ５７ｂの一端側と連結されたネット部分が同時に上昇する。そして、ウインチ５２が第１昇降ワイヤ５７ａを巻き戻すと、第１昇降ワイヤ５７ａの移動と共に第２昇降ワイヤ５７ｂも移動し、防球ネット２の上端側で第１昇降ワイヤ５７ａの一端側と連結されたネット部分及び第２昇降ワイヤ５７ｂの一端側と連結されたネット部分が同時に下降する。したがって、この実施形態３の防球ネットシステム１Ｃによれば、上述の実施形態２とは異なり、防球ネット２の上端側で第１昇降ワイヤ５７ａの一端側と連結された部分及び第２昇降ワイヤ５７ｂの一端側と連結された部分を一台のウインチ５２で同時に昇降させることが可能である。
【００４９】
なお、ウインチ５２を有する第１ネット吊り機構５０Ａを照明付き防球ネットポール２０に設けてもよい。すなわち、防球ネットポール１０及び照明付き防球ネットポール２０の何れか一方に第１ネット吊り機構５０Ａを設け、他方に第２ネット吊り機構５０Ａを設ける。
また、この実施形態３では、防球ネットポール１０及び照明付き防球ネットポール２０を第１及び第２ネット吊り機構５０Ａ，５０Ｂの設置対象として説明したが、防球ネットポール１０同士や照明付き防球ネットポール２０同士を第１及び第２ネット吊り機構５０Ａ，５０Ｂの設置対象としてもよい。
【００５０】
また、この実施形態３では、第１ネット吊り機構５０Ａに１つの第２ネット吊り機構５０Ｂを連結した場合について説明したが、第１ネット吊り機構５０Ａに２つ以上の第２ネット吊り機構５０Ｂを連結することも可能である。例えば第１ネット吊り機構５０Ａに２つの第２ネット吊り機構５０Ｂを直列で連結する場合、前段の第２ネット吊り機構５０Ｂの第２昇降ワイヤ５７ｂに第４滑車５４ｄを介して後段の第２ネット吊り機構５０Ｂの第２昇降ワイヤ５７ｂの他端側を連結することによって、１台のウインチ５２で１つの第１ネット吊り機構５０Ａ及び２つの第２ネット吊り機構５０Ｂの各々の昇降機能を作動させることが可能となる。
【００５１】
以上、本発明を上記実施形態に基づき具体的に説明したが、本発明は上記実施形態に限定されるものではなく、その要旨を逸脱しない範囲において種々変更可能であることは勿論である。
【符号の説明】
【００５２】
１Ａ，１Ｂ，１Ｃ…防球ネットシステム
２…防球ネット
３…地盤
４ａ，４ｂ…杭
５…照明装置
６…架台
７…照明器
１０…防球ネットポール
１１…ネット支柱
１１ａ〜１１ｃ…分割支柱
１１ａ２，１１ｂ１，１１ｂ２，１１ｃ１，１１ｃ２…フランジ部
１１ｄ…蓋体
１１ｘ…外周面
１１ｙ…内周面
１３…外設タラップ
２０…照明付き防球ネットポール
２１…ネット支柱
２１ａ〜２１ｃ…分割支柱
２１ａ２，２１ｂ１，２１ｂ２，２１ｃ１，２１ｃ２…フランジ部
２１ｘ…外周面
２１ｙ…内周面
２２…照明支柱
２３…外設タラップ
２４…筒体
２４ａ…第１マンホール部
２４ｂ…蓋体
２５…筒体
２５ａ…第２マンホール部
２５ｂ…蓋体
２６…内設タラップ
２７…踊り場
２８ａ…給電ケーブル
２８ｂ…分電盤
２８ｃ…内設照明器
３０Ａ，３０Ｂ…ネット吊り機構
３１ａ，３１ｂ…ブラケット、
３５ａ，３５ｂ…縦ガイドワイヤ（ガイド部材）
３６…横ガイドワイヤ（ガイド部材）
４０Ａ，４０Ｂ…ネット吊り機構
４１ａ，４１ｂ…下部ブラケット
４２ａ，４２ｂ…ウインチ
４３ａ，４３ｂ…上部ブラケット
４４ａ，４４ｂ…滑車
４５ａ，４５ｂ…ガイドワイヤ（ガイド部材）
４６ａ，４６ｂ…ネット連結リング部材（ネット連結部材）
４７ａ，４７ｂ…昇降ワイヤ
５０Ａ…第１ネット吊り機構
５０Ｂ…第２ネット吊り機構
５１ａ，５１ｂ…下部ブラケット
５２…ウインチ
５３ａ，５３ｂ…上部ブラケット
５４ａ…第１滑車
５４ｂ…第２滑車
５４ｃ…第３滑車
５４ｄ…第４滑車
５５ａ，５５ｂ…ガイドワイヤ（ガイド部材）
５６ａ，５６ｂ…ネット連結リング背部材（ネット連結部材）
５７ａ…第１昇降ワイヤ
５７ｂ…第２昇降ワイヤ
【図１】
2020099519.tif 000003
【図２】
2020099519.tif 000004
【図３】
2020099519.tif 000005
【図４】
2020099519.tif 000006
【図５】
2020099519.tif 000007
【図６】
2020099519.tif 000008
【図７】
2020099519.tif 000009
【図８】
2020099519.tif 000010
【図９】
2020099519.tif 000011
【図１０】
2020099519.tif 000012
【図１１】
2020099519.tif 000013
【図１２】
2020099519.tif 000014
【図１３】
2020099519.tif 000015
【図１４】
2020099519.tif 000016
【図１５】
2020099519.tif 000017